(57)【要約】【課題】本体１に複数の操作キー71と該操作キーを照明するための発光素子80とが配備されている電子機器において、複数の操作キー71に対する防水構造と導光構造をコンパクトに配備する。【解決手段】本発明に係る電子機器は、本体１を覆ってカバーパネル２が設置され、本体１には、複数のタクトスイッチ81とスピーカとが配備され、カバーパネル２には、操作キー71の頭部が臨出すべき複数の開口22と、スピーカから発せられる音響の放音孔とが開設され、本体１には、操作キー71の押し子75が貫通すべき複数の貫通孔11と、２つの貫通孔11の間に介在する導音孔とが開設されており、複数の貫通孔11はそれぞれ防水パッキン部材９によって個別に封止されており、防水パッキン部材９は、透光性を有するパッキン体91を具えると共に、操作キー71は、透光性を有するキー本体72を具えている。【選択図】図４
2014132702.tif 000002
【特許請求の範囲】
【請求項１】
防水構造を有する本体の表面を覆ってカバーパネルが設置され、前記本体には、少なくとも２つのタクトスイッチと、前記タクトスイッチを押圧すべき少なくとも２つの操作キーと、該操作キーを照明するための発光素子と、少なくとも１つのスピーカとが配備され、前記カバーパネルには、前記操作キーの頭部が臨出すべき少なくとも２つの開口と、前記スピーカから発せられる音響を放出すべき少なくとも１つの放音孔とが開設され、前記本体には、前記操作キーの押し子が前記タクトスイッチに向かって貫通すべき少なくとも２つの貫通孔と、該貫通孔の間に介在して前記スピーカからの音響を前記放音孔へ導く少なくとも１つの導音孔とが開設されている電子機器において、
前記本体の貫通孔はそれぞれ防水パッキン部材によって個別に封止されており、該防水パッキン部材は、透光性を有するパッキン体を具えると共に、前記操作キーは、透光性を有するキー本体を具え、前記発光素子からの光を前記パッキン体を経て前記キー本体の内部へ導く様に構成されていることを特徴とする、防水構造を有する電子機器。
【請求項２】
前記防水パッキン部材のパッキン体は、前記タクトスイッチ側に凹んで前記操作キーの押し子を収容する有底袋状に形成され、該パッキン体の内周面に円筒状の金属片が配備されており、該金属片の内周面にて光が反射される様に構成されている請求項１に記載の電子機器。
【請求項３】
前記本体には、前記発光素子、防水パッキン部材のパッキン体、或いは操作キーのキー本体から前記カバーパネルの放音孔へ向かって進行する光を遮断するためのリブが形成されている請求項１又は請求項２に記載の電子機器。
【請求項４】
前記本体の導音孔は、通気性を有する防水シートによって塞がれている請求項１乃至請求項３の何れかに記載の電子機器。
【発明の詳細な説明】
【技術分野】
【０００１】
本発明は、防水構造を有する本体の表面を覆ってカバーパネルが設置され、該カバーパネルの表面に、複数の操作キーの頭部が配備されると共に、スピーカから発せられる音響の放音孔が開設されている、携帯電話機等の電子機器に関するものである。
【背景技術】
【０００２】
この種の携帯電話機においては、本体に、複数のタクトスイッチを搭載した基板と、該タクトスイッチを押圧すべき複数の操作キーと、該操作キーを照明するための発光素子と、着信音等を発生するスピーカとが配備され、該本体には、操作キーの押し子がタクトスイッチに向かって貫通すべき複数の貫通孔と、スピーカからの音響を放音孔へ導く導音孔とが開設されている。
【０００３】
この様な携帯電話機においては、本体の防水を図るために、従来より種々の防水構造が提案されており(特許文献１、２)、例えば操作キーの押し子が貫通する複数の貫通孔を１枚のシリコンシート部材によって封止することが行なわれている。
【先行技術文献】
【特許文献】
【０００４】
【特許文献１】特開２００１−２２２９２７号公報
【特許文献２】特開２００９−５４４３０号公報
【発明の概要】
【発明が解決しようとする課題】
【０００５】
しかしながら、上述の如く複数の操作キーの押し子が貫通する複数の貫通孔を１枚のシリコンシート部材によって封止する構成においては、シリコンシート部材による防水構造と共に、発光素子からの光によって操作キーの表面を照明するための導光構造を設ける必要があるため、特に、本体において前記複数の貫通孔の間に前記導音孔が開設されている場合には、防水構造と導光構造をコンパクトに配備することが困難となる問題があった。
【０００６】
そこで本発明の目的は、複数の操作キーに対する防水構造と導光構造をコンパクトに配備することが可能な電子機器を提供することである。
【課題を解決するための手段】
【０００７】
本発明に係る電子機器は、防水構造を有する本体(１)の表面を覆ってカバーパネル(２)が設置され、前記本体(１)には、少なくとも２つのタクトスイッチ(81)(81)と、前記タクトスイッチ(81)(81)を押圧すべき少なくとも２つの操作キー(71)(71)と、該操作キー(71)(71)を照明するための発光素子(80)と、少なくとも１つのスピーカ(５)とが配備され、前記カバーパネル(２)には、前記操作キー(71)(71)の頭部が臨出すべき少なくとも２つの開口(22)(22)と、前記スピーカ(５)から発せられる音響を放出すべき少なくとも１つの放音孔(23)とが開設され、前記本体(１)には、前記操作キー(71)(71)の押し子(75)が前記タクトスイッチ(81)(81)に向かって貫通すべき少なくとも２つの貫通孔(11)(11)と、該貫通孔(11)(11)の間に介在して前記スピーカ(５)からの音響を前記放音孔(23)へ導く少なくとも１つの導音孔(12)とが開設されている。
【０００８】
ここで、前記本体(１)の貫通孔(11)(11)はそれぞれ防水パッキン部材(９)によって個別に封止されており、該防水パッキン部材(９)は、透光性を有するパッキン体(91)を具えると共に、前記操作キー(71)は、透光性を有するキー本体(72)を具え、前記発光素子(80)からの光を前記パッキン体(91)を経て前記キー本体(72)の内部へ導く様に構成されている。
【０００９】
本発明に係る防水構造を有する電子機器において、本体(１)には、操作キー(71)の押し子(75)が貫通すべき少なくとも２つの貫通孔(11)(11)の間に、スピーカ(５)からの音響を放音孔(23)へ導く少なくとも１つの導音孔(12)が開設されているが、各貫通孔(11)は防水パッキン部材(９)によって個別に封止されているので、複数の防水パッキン部材(９)は導音孔(12)の存在に拘わりなく配置することが出来る。
【００１０】
又、発光素子(80)から発せられた光が防水パッキン部材(９)のパッキン体(91)を経て操作キー(71)のキー本体(72)の内部へ導かれ、これによって操作キー(71)の表面が照明され、防水パッキン部材(９)が防水構造を構成すると同時に導光構造を構成するので、防水構造と導光構造とがコンパクトに配置されることになる。
【００１１】
具体的な態様において、前記防水パッキン部材(９)のパッキン体(91)は、前記タクトスイッチ(81)側に凹んで前記操作キー(71)の押し子(75)を収容する有底袋状に形成され、該パッキン体(91)の内周面に円筒状の金属片(94)が配備されており、該金属片(94)の内周面にて光が反射される様に構成されている。
【００１２】
該具体的態様によれば、防水パッキン部材(９)の内周面へ向かう光が金属片(94)の内周面にて反射されるので、操作キー(71)のキー本体(72)へ入射した光は、外部に殆ど漏れることなく、操作キー(71)の表面へ導かれる。
【００１３】
更に具体的な態様において、前記本体(１)には、前記発光素子(80)、防水パッキン部材(９)のパッキン体(91)、或いは操作キー(71)のキー本体(72)から前記カバーパネル(２)の放音孔(23)へ向かって進行する光を遮断するためのリブ(13)が形成されている。
【００１４】
該具体的態様によれば、発光素子(80)、防水パッキン部材(９)のパッキン体(91)、或いは操作キー(71)のキー本体(72)からカバーパネル(２)の放音孔(23)へ向かって進行する光がリブ(13)によって遮断されるので、カバーパネル(２)の放音孔(23)から外部へ光が漏れることはない。
【発明の効果】
【００１５】
本発明に係る防水構造を有する電子機器によれば、複数の操作キーに対する防水構造と導光構造をコンパクトに配備することが出来、これによって機器の小型化が実現される。
【図面の簡単な説明】
【００１６】
【図１】図１は、本発明の一実施形態である携帯電話機の斜視図である。
【図２】図２は、該携帯電話機を裏返して示す斜視図である。
【図３】図３は、図１のＡ−Ａ線に沿う拡大断面図である。
【図４】図４は、図１のＢ−Ｂ線に沿う拡大断面図である。
【図５】図５は、該携帯電話機の前面側の構成を示す分解斜視図である。
【図６】図６は、防水パッキン部材の拡大斜視図である。
【発明を実施するための形態】
【００１７】
以下、本発明を携帯電話機に実施した形態につき、図面に沿って具体的に説明する。
本発明の一実施形態である携帯電話機は、図１及び図２に示す如く、扁平な直方体状の本体(１)の表面を覆って前面カバーパネル(２)が配置されると共に、本体(１)の背面を覆って背面カバーパネル(３)が配置され、背面カバーパネル(３)には、電池蓋(31)が着脱可能に取り付けられている。
【００１８】
本体(１)には、無線通信回路等の電子回路やディスプレイ(何れも図示省略)が内蔵され、前面カバーパネル(２)の窓(21)からは、画像を表示するためのスクリーン(10)が露出している。尚、本体(１)は、Ｏリングなどを用いた周知の防水構造を有している。
【００１９】
又、前面カバーパネル(２)の表面には、窓(21)の下側に、３つの操作キー(71)(71)(71)の頭部が配備されると共に、これらの操作キー(71)(71)(71)の下方位置に、左右一対の放音孔(23)(23)がそれぞれスリット状に開設されている。
【００２０】
図５に示す如く、前記本体(１)を構成する本体シャーシ(14)の背面には、前記３つの操作キー(71)(71)(71)によって押圧されるべき３つのタクトスイッチ(81)(81)(81)を搭載したフレキシブル基板(８)が配備される。
又、本体シャーシ(14)の背面には、着信音等を発生する左右一対のスピーカ(５)(５)を保持したホルダー(４)が取り付けられる。該ホルダー(４)には、両スピーカ(５)(５)から放出される音響を本体シャーシ(14)側へ導くための２つの導音孔(41)(41)が開設されている。
【００２１】
本体シャーシ(14)には、前記３つの操作キー(71)(71)(71)と対向する位置に、３つの貫通孔(11)(11)(11)が開設されると共に、これらの貫通孔(11)(11)(11)の間に介在する２つの導音孔(12)(12)が開設され、これらの導音孔(12)(12)によって、ホルダー(４)の導音孔(41)(41)を通過した音響が更に前面カバーパネル(２)側へ導かれる。
【００２２】
各導音孔(12)は、通気性を有する防水シート(６)によって塞がれ、これによって導音孔(12)から本体内部への水の浸入が阻止される。
又、本体シャーシ(14)の３つの貫通孔(11)(11)(11)にはそれぞれ、防水パッキン部材(９)が装着され、これによって貫通孔(11)から本体内部への水の浸入が阻止される。
【００２３】
防水パッキン部材(９)は、図６に示す如く、中央孔を有するフランジ部(92)の中央部に有底円筒部(93)を突設してなる有底袋状のパッキン体(91)を具え、該パッキン体(91)の内周面には、円筒状を呈するステンレス鋼製の金属片(94)が配備され、これによって防水パッキン部材(９)の横方向の弾性変形を抑制している。
ここで、パッキン体(91)は、透明なシリコンゴムによって形成されている。
尚、防水パッキン部材(９)は、図３に示す如く本体シャーシ(14)の貫通孔(11)に袋状部を挿入して、本体シャーシ(14)に装着される。
【００２４】
前面カバーパネル(２)には、図５に示す如く、前記２つの放音孔(23)(23)に沿って、３つの開口(22)(22)(22)が略一列に形成されており、図３に示す様に、これらの開口(22)(22)(22)から操作キー(71)(71)(71)の頭部がそれぞれ臨出している。
【００２５】
操作キー(71)は、図４に示す如く、押し子(75)が突設されたキー本体(72)を具え、３つの操作キー(71)(71)(71)に跨って、各キー本体(72)の頭部表面を覆うキーシート(73)が設けられ、該キーシート(73)の表面には、操作キー(71)毎に、操作キー(71)の機能を表示する記号をくり抜いた印刷層(74)が形成されている。
該キーシート(73)によって３つの操作キー(71)(71)(71)が互いに連結され、図３の如く一体の操作キーユニット(７)が構成されている。
そして、各操作キー(71)の押し子(75)が各防水パッキン部材(９)の内部へ挿入されている。
【００２６】
ここで、各操作キー(71)のキー本体(72)は透明なポリカーボネート製であり、キーシート(73)はエラストマー製である。
【００２７】
上記操作キーユニット(７)においては、１つの操作キー(71)を押下すると、該操作キー(71)の押し子(75)が防水パッキン部材(９)の底部を介して１つのタクトスイッチ(81)を押圧し、該タクトスイッチ(81)をオンとする。これによって、該タクトスイッチ(81)に対応する操作信号が生成されることになる。
【００２８】
又、図４に示す如く、フレキシブル基板(８)の表面には、タクトスイッチ(81)の近傍位置に、ＬＥＤからなる発光素子(80)が搭載されている。
発光素子(80)から発せられる光は、防水パッキン部材(９)のパッキン体(91)へ入射し、該パッキン体(91)を透過した後、操作キー(71)のキー本体(72)へ入射する。そして、この光はキー本体(72)内を進行して、キーシート(73)を透過した後、印刷層(74)のくり抜き部から出射される。
この様にして、操作キー(71)の表面が照明されて、特に夜間における操作キー(71)の操作が容易なものとなる。
【００２９】
ここで、防水パッキン部材(９)のパッキン体(91)の内周面には金属片(94)が配備されているため、パッキン体(91)を透過した光が防水パッキン部材(９)の内周面へ向かって進行したとしても、この光は金属片(94)の内周面にて反射され、操作キー(71)のキー本体(72)へ入射することになる。
従って、発光素子(80)から発せられた光は、外部に殆ど漏れることなく、操作キー(71)の表面へ導かれることになる。
【００３０】
又、本体シャーシ(14)には、操作キー(71)の側部に、発光素子(80)、防水パッキン部材(９)のパッキン体(91)、或いは操作キー(71)のキー本体(72)から前記カバーパネル(２)の放音孔(23)へ向かって進行する光を遮断するべく、本体シャーシ(14)の表面から前面カバーパネル(２)の内面へ向かって突出するリブ(13)が形成されている。
従って、カバーパネル(２)の放音孔(23)から外部へ光が漏れることはない。
【００３１】
上記の携帯電話機においては、本体シャーシ(14)に、操作キー(71)の押し子(75)が貫通すべき３つの貫通孔(11)(11)(11)の間に介在する２つの導音孔(12)(12)が開設されているが、各貫通孔(11)は防水パッキン部材(９)によって個別に封止されているので、３つの防水パッキン部材(９)(９)(９)を導音孔(12)(12)の存在に拘わりなく配置することが出来る。
【００３２】
又、防水パッキン部材(９)のパッキン体(91)と、操作キー(71)のキー本体(72)とが、操作キー(71)の表面を照明するための導光作用を発揮するので、防水パッキン部材(９)が、本体シャーシ(14)の貫通孔(11)を封止する防水構造と、発光素子(80)からの光を操作キー(71)の表面まで導く導光構造の両方を構成することになる。
従って、防水構造と導光構造がコンパクトに配置されることとなり、携帯電話機の小型化が可能となる。
【００３３】
尚、本発明の各部構成は上記実施の形態に限らず、特許請求の範囲に記載の技術的範囲内で種々の変形が可能である。
例えば、防水パッキン部材(９)の表面の必要箇所に光漏れ防止用の印刷を施すことも可能である。
【符号の説明】
【００３４】
(１)  本体
(11)  貫通孔
(12)  導音孔
(13)  リブ
(14)  本体シャーシ
(２)  前面カバーパネル
(22)  開口
(23)  放音孔
(４)  ホルダー
(41)  導音孔
(５)  スピーカ
(６)  防水シート
(７)  操作キーユニット
(71)  操作キー
(72)  キー本体
(73)  キーシート
(74)  印刷層
(75)  押し子
(８)  フレキシブル基板
(81)  タクトスイッチ
(９)  防水パッキン部材
(91)  パッキン体
(94)  金属片
【図１】
2014132702.tif 000003
【図２】
2014132702.tif 000004
【図３】
2014132702.tif 000005
【図４】
2014132702.tif 000006
【図５】
2014132702.tif 000007
【図６】
2014132702.tif 000008